(57)【要約】【課題】レンジフードの取替工事をする際に、壁面の補強桟がレンジフード取り付ねじの位置と合わない場合でも補強桟の追加工事をすることなく、取付強度を確保でき、かつ、レンジフードの壁面への位置合わせが容易なレンジフードを提供することを目的とする。【解決手段】フード部１と同幅の凹型で、左右に複数の穴１３を縦方向に配列した取付板６を壁面１０に取り付け、その取付板６下端とフード部１の下端が合うように薄形レンジフード５を取付板６に取り付けできるようにしたことにより、レンジフードの取替工事をする際に、壁面１０の補強桟１２が引掛用ねじ１５の位置と合わない場合でも補強桟の追加工事をすることなく、取り付け強度を確保でき、かつ、薄形レンジフード５の壁面１０への位置合わせを容易にできるようにした。【選択図】図１
2013088109.tif 000002
【特許請求の範囲】
【請求項１】
レンジフード本体と同幅の凹型で、左右に複数の穴を縦方向に配列した取付板を壁面に取り付け、その取付板下端とレンジフード本体の下端が合うようにレンジフード本体を取付板に取り付けできるようにしたことを特徴とするレンジフード。
【請求項２】
取付板にレンジフード引掛部を設けたことを特徴とする請求項１に記載のレンジフード。
【請求項３】
取付板に裏側に断熱材を設けたことを特徴とする請求項１または２に記載のレンジフード。
【発明の詳細な説明】
【技術分野】
【０００１】
本発明は、調理機器の上方に設置され、調理時に発生する油煙を捕集して屋外に排気するレンジフードに関する。
【背景技術】
【０００２】
従来、この種のレンジフードとして、図９に示すレンジフードが知られている（例えば、特許文献１参照）。
【０００３】
図９に示すレンジフードは、水平面と固定孔１０１を有する垂直面をＬ字形に形成した取付金具１０２と、レンジフード１０３の背面上部に取付孔１０４を形成して構成する。
【０００４】
上記構成において、吊り戸棚１０５に隣接してレンジフード１０３を取り付ける場合には、吊り戸棚１０５の下端に取付金具１０２の水平面を当てがった状態で垂直面に形成された固定孔１０１を通したねじ１０６により取付金具１０２を壁面１０７に固定し、固定された取付金具１０２の水平面上にレンジフード１０３の下端部を載置した状態でレンジフード１０３に形成された取付孔１０４にねじ１０８を通し壁面１０７にレンジフード１０３を取り付ける。
【０００５】
このようなレンジフードでは、取付金具１０２を用いることにより、隣接する吊り戸棚１０５の下端部とレンジフード１０３の下端部が同一線上に揃って取り付けられるので、型紙を用いてレンジフードの取付位置を決める手間を省くことができ施工時間の短縮が図れることとなる。
【先行技術文献】
【特許文献】
【０００６】
【特許文献１】特開平７−１２００３９号公報
【発明の概要】
【発明が解決しようとする課題】
【０００７】
このような従来のレンジフードでは、レンジフードが古くなって、新しいものに買い替える際、取替前と取替後で、レンジフードを壁面へ取り付けるねじの位置が異なる場合が多く、レンジフードを保持するためには、取替後のレンジフードのねじ位置に補強桟を追加で設置しなければならず、施工工事が大掛かりになるという課題があった。
【０００８】
本発明は、このような従来の課題を解決するものであり、レンジフードの取替工事をする際に、壁面の補強桟がレンジフード取り付けねじの位置と合わない場合でも補強桟の追加工事をすることなく、取付強度を確保でき、かつ、レンジフードの壁面への位置合わせが容易なレンジフードを提供することを目的としている。
【課題を解決するための手段】
【０００９】
本発明のレンジフードは上記目的を達成するために、レンジフード本体と同幅の凹型で、左右に複数の穴を縦方向に配列した取付板を壁面に取り付け、その取付板下端とレンジフード本体の下端が合うようにレンジフード本体を取付板に取り付けできるようにしたものである。
【００１０】
この手段により、レンジフードの取替工事をする際に、壁面の補強桟がレンジフード取付ねじの位置と合わない場合でも補強桟の追加工事をすることなく、取付強度を確保でき、かつ、レンジフードの壁面への位置合わせが容易なレンジフードが得られる。
【００１１】
また、他の手段は、取付板にレンジフード引掛部を設けたものである。
【００１２】
この手段により、レンジフード本体の取付板への取り付けが容易になり、さらに施工性のよいレンジフードが得られる。
【００１３】
また、他の手段は、取付板に裏側に断熱材を設けたものである。
【００１４】
この手段により、レンジフードに吸い込まれる調理廃熱が壁面に伝わることによる火災発生を防止するための、壁面への断熱材の取付工事が不要となり、さらに施工性のよいレンジフードが得られる。
【発明の効果】
【００１５】
本発明によれば、レンジフード本体と同幅の凹型で、左右に複数の穴を縦方向に配列した取付板を壁面に取り付け、その取付板下端とレンジフード本体の下端が合うようにレンジフード本体を取付板に取り付けできるようにしたことにより、レンジフードの取替工事をする際に、壁面の補強桟がレンジフード取付ねじの位置と合わない場合でも、取付板を、左右に縦方向に配列した複数の穴のいずれかを使って壁面の補強桟にねじ固定し、その取付板にレンジフード本体を取り付けすれば、補強桟の追加工事をする必要がない。また、その取付板下端とレンジフード本体の下端が合うようにレンジフード本体を取付板に取り付けできるようにしたことにより、レンジフードの壁面への位置合わせが容易となる。また、取付板の凹部から、レンジフードの排気ダクトを屋外に配管できる。
【００１６】
また、取付板にレンジフード引掛部を設けたことにより、レンジフード本体の取付板への取り付けが容易になり、さらに施工性のよいレンジフードを提供できる。
【００１７】
また、取付板に裏側に断熱材を設けたことにより、レンジフードに吸い込まれる調理廃熱が壁面に伝わることによる火災発生を防止するための、壁面への断熱材の取付工事が不要となり、さらに施工性のよいレンジフードを提供できる。
【図面の簡単な説明】
【００１８】
【図１】本発明の実施の形態１のレンジフードの取り付け状態を示す分解斜視図
【図２】同レンジフードの側面構成図
【図３】同レンジフードの深形レンジフードの取り外しの状態を示す分解斜視図
【図４】同レンジフードの取付板の取り付けの状態を示す分解斜視図
【図５】同レンジフードの薄形レンジフードの取り付けの状態を示す分解斜視図
【図６】同レンジフードのダクトの接続の状態を示す斜視図
【図７】同レンジフードの幕板取り付けの状態を示す斜視図
【図８】本発明の実施の形態２のレンジフードの薄形レンジフードの取り付けの状態を示す分解斜視図
【図９】従来のレンジフードを示す斜視図
【発明を実施するための形態】
【００１９】
本発明の請求項１に記載のレンジフードは、レンジフード本体の幅と同幅の凹型で、左右に複数の穴を縦方向に配列した取付板を壁面に取り付け、その取付板下端とレンジフード本体の下端が合うようにレンジフード本体を取付板に取り付けできるようにしたことにより、レンジフードの取替工事をする際に、壁面の補強桟がレンジフード取付ねじの位置と合わない場合でも補強桟の追加工事をすることなく、取り付け強度を確保でき、かつ、レンジフードの壁面への位置合わせを容易にすることができる。
【００２０】
また、請求項２に記載の発明は、取付板にレンジフード引掛部を設けたことにより、レンジフード本体の取付板への取り付けが容易になり、さらに施工性のよくすることができる。
【００２１】
また、請求項３に記載の発明は、取付板に裏側に断熱材を設けたことにより、レンジフードに吸い込まれる調理廃熱が壁面に伝わることによる火災発生を防止するための、壁面への断熱材の取付工事が不要となり、さらに施工性をよくすることができる。
【００２２】
以下、本発明の実施の形態について図面を参照しながら説明する。
【００２３】
（実施の形態１）
図１およびび図２に示すように、本実施の形態のレンジフードは、薄型の箱体形状で下面が開放されたフード部１と、フード部１の上方に箱体形状の送風機ボックス２と、送風機ボックス２の中に例えばシロッコファンである遠心送風機３と、送風機ボックス２の天面の両端に固定されたＬ字型の２つの取付金具４とで構成される薄形レンジフード５と、フード部１の横幅と同幅の上方に凹に形成された凹型で、左右に複数の穴１３を縦方向に配列した金属製の取付板６と、取付板６の背面である壁面１０側に貼り合わせられた不燃性の断熱材７（例えば石膏ボード等）とからなる。
【００２４】
レンジフードを取り換える際の代表例として、図３に示すような内部にプロペラ換気扇８が内蔵された深形レンジフード９から、本発明の薄形レンジフード５に取り替える場合の取り替え手順を以下に示す。
【００２５】
まず、古い深形レンジフード９を取り外す手順を図３で説明する。
【００２６】
壁面１０の角穴２２からプロペラ換気扇８を取り外し、次に深形レンジフード９を壁面１０に固定しているねじ１１を外して、深形レンジフード９を取り外す。通常、このねじ１１は、深形レンジフード９の背面の上方と下方の位置にあり、壁面１０には取り付け強度を確保するため、ねじ１１の位置に対応して補強桟１２が入っている。
【００２７】
次に、取付板６を壁面１０に固定する手順を図４で説明する。取付板６の下端を、新たに取り付ける薄形レンジフード５のフード部１の下端位置に合わせ、取付板６の縦方向に配列した複数の穴１３のうち、補強桟１２に締め付けできる穴１３ａを使用して取付板固定ねじ１４を締め付けて固定する。一般的に、薄形レンジフード５のフード部１の下端は、吊戸棚２８の下端と合わせることが多い。
【００２８】
次に、薄形レンジフード５を取付板６に固定する手順を図５で説明する。
【００２９】
まず、取付板６に引掛用ねじ１５をねじ頭と壁面１０の間に少し間隔を空けて仮止めし、取付金具４に開いたダルマ状の引掛穴１６を引掛用ねじ１５に引っ掛ける。この引掛用ねじ１５は薄形レンジフード５を引っ掛けた時に取付板６下端と薄形レンジフード５のフード部１下端が合うようにあらかじめ新たに引掛用ねじ穴１３ｂの位置が決められている。そして、仮止めされていた引掛用ねじ１５を締め付け、さらに、フード部１の背面に開いた下部固定ねじ穴１７と取付板６の下部固定穴１８を下部固定ねじ１９で締め付けてフード部１を固定する。
【００３０】
これで薄形レンジフード５の取り付けは完了であるが、次に調理廃気を屋外に排出するためのダクト接続工事をする手順を図６で説明する。
【００３１】
まず、壁面アダプター２０が設けられた角型のダクト接続板２１でプロペラ換気扇８を取り外した角穴２２をふさぐ。そして、送風機ボックス２の天面に設けられた吐出アダプター２３と壁面アダプター２０とをダクト２４で接続する。
【００３２】
最後に、図７のように、送風機ボックス２とダクト２４接続部を隠す幕板２５を取り付け、施工完了である。
【００３３】
上記構成により、レンジフードの取替工事をする際に、壁面１０の補強桟１２が薄形レンジフード５の引掛用ねじ１５の位置と合わない場合でも、取付板６を、左右に縦方向に配列した複数の穴１３のいずれかを使って壁面１０の補強桟１２に取付板固定ねじ１４で固定し、その取付板６に薄形レンジフード５を取り付ければ、新たに補強桟の追加工事をする必要がない。また、その取付板６下端とフード部１の下端が合うように薄形レンジフード５を取付板６に取り付けできるようにしたことにより、薄形レンジフード５の壁面１０への位置合わせが容易となる。また、取付板６の凹部から、薄形レンジフード５のダクト２４を屋外に配管できる。
【００３４】
また、取付板６に裏側に断熱材７を設けたことにより、薄形レンジフードに吸い込まれる調理廃熱が壁面１０に伝わり、火災が発生するのを防ぐための、壁面１０への断熱材追加工事が不要となり、さらに施工性を向上できる。
【００３５】
（実施の形態２）
図８において実施の形態１と異なるところは、取付板６にあらかじめ設けられた２つの引掛部２６に、送風機ボックス２の背面上部に設けた２つの引掛部２６に対応した２つの引掛穴２７を引掛けて取り付けることである。
【００３６】
上記構成により、送風機ボックス２にＬ字型の取付金具４を取り付ける必要がなく、また、取付板６にも引掛用ねじ１５を締め付ける必要がなく、さらに簡単に薄形レンジフード５を取り付けることができる。
【産業上の利用可能性】
【００３７】
本発明は、薄型レンジフードの取り付け構造として有用である。
【符号の説明】
【００３８】
１      フード部
２      送風機ボックス
３      遠心送風機
４      取付金具
５      薄形レンジフード
６      取付板
７      断熱材
８      プロペラ換気扇
９      深形レンジフード
１０    壁面
１１    ねじ
１２    補強桟
１３    穴
１３ａ  穴
１３ｂ  引掛用ねじ穴
１４    取付板固定ねじ
１５    引掛用ねじ
１６    引掛穴
１７    下部固定ねじ穴
１８    下部固定穴
１９    下部固定ねじ
２０    壁面アダプター
２１    ダクト接続板
２２    角穴
２３    吐出アダプター
２４    ダクト
２５    幕板
２６    引掛部
２７    引掛穴
２８    吊戸棚
【図１】
2013088109.tif 000003
【図２】
2013088109.tif 000004
【図３】
2013088109.tif 000005
【図４】
2013088109.tif 000006
【図５】
2013088109.tif 000007
【図６】
2013088109.tif 000008
【図７】
2013088109.tif 000009
【図８】
2013088109.tif 000010
【図９】
2013088109.tif 000011